(57)【特許請求の範囲】
【請求項１】
杭と基礎構造体との接合構造であって、
前記基礎構造体は、少なくとも１本の杭周補強筋を有する鉄筋コンクリートからなるとともに、杭頭面よりも上方に構築される本体部と、杭頭部を包み込むように杭頭面よりも下方に前記本体部と一体に構築される杭周補強部とを有し、
前記杭周補強筋は、
平面視で前記杭の一方側に配置され、前記杭周補強部の下部において略水平に延在する水平筋と、
前記水平筋と協働して平面視で前記杭をコ字状に取り囲むように前記水平筋の両端部から前記杭の他方側へ向けて斜め上向きに延出する一対の斜め筋と、
前記一対の斜め筋の上側端部から上方へ向けてそれぞれ延出する一対の鉛直筋を有することを特徴とする杭と基礎構造体との接合構造。
【請求項２】
前記杭周補強筋は、前記斜め筋と前記鉛直筋との接続部が前記杭頭面と略同じ高さに位置するように配置されたことを特徴とする、請求項１に記載の杭と基礎構造体との接合構造。
【請求項３】
前記基礎構造体は、前記杭の外周面に接合され、杭頭面よりも上方へ延出して前記本体部の内部に延在する杭上部補強筋をさらに有することを特徴とする、請求項１または請求項２に記載の杭と基礎構造体との接合構造。
【請求項４】
前記基礎構造体は、前記杭周補強筋を複数本有し、
前記複数の杭周補強筋が、その水平筋が平面視で前記杭の一方側に配置された第１の杭周補強筋と、その水平筋が平面視で前記杭の他方側に配置された第２の杭周補強筋を含むことを特徴とする、請求項１〜請求項３のいずれか一項に記載の杭と基礎構造体との接合構造。
【請求項５】
前記基礎構造体は、前記杭周補強筋を複数本有し、
前記複数の杭周補強筋が、その水平筋が平面視で前記杭の一方側に配置された第１の杭周補強筋と、その水平筋が平面視で前記第１の杭周補強筋の水平筋と直交方向に延在する第３の杭周補強筋を含むことを特徴とする、請求項１〜請求項４のいずれか一項に記載の杭と基礎構造体との接合構造。
【発明の詳細な説明】
【技術分野】
【０００１】
本発明は、杭と基礎構造体との接合構造に係り、杭頭部の周囲に埋め込む基礎構造体の深さを浅くする技術に関する。
【背景技術】
【０００２】
従来、杭を用いた基礎として、基礎梁に基礎梁よりも大きな断面を有するフーチングを設け、杭頭部をフーチングに埋め込むとともに杭頭部の外周面に溶接した補強筋（アンカー筋）をフーチングに定着させることによって接合するＲＣ構造のものが知られている。この接合方法によれば、杭頭の埋め込み部、すなわち杭頭部の側面に接する部分でせん断力および曲げモーメントの一部を負担できるため、杭頭部に溶接する補強筋の本数を少なくすることができる。
【０００３】
他方、近年では、杭頭の周囲に杭よりも大径の外鋼管を配置し、杭と外鋼管との間に補強筋を設けた状態でコンクリートを充填するようにして基礎梁を接合した接合構造（特許文献１参照）や、杭よりも大径の外鋼管と外鋼管の下端に杭頭との間隙を閉塞するように設けたダイアフラムとからなる拡径部材を杭頭の周囲に接合し、外鋼管と杭頭との間隙に充填材を充填するとともに外鋼管の外周面に補強筋を接合して補強筋が基礎構造体の内部に埋設されるようにした接合構造（特許文献２参照）なども提案されている。
【先行技術文献】
【特許文献】
【０００４】
【特許文献１】特開平１１−１３１３９号公報
【特許文献２】特開２００６−１０４８８６号公報
【発明の概要】
【発明が解決しようとする課題】
【０００５】
しかしながら、従来のＲＣ接合構造では、設計応力が大きくなると、杭頭部に接合する補強筋の必要本数が増大する。補強筋は平面視で円形に配置されるため、補強筋の本数が増大すると、基礎梁の主筋が補強筋に干渉し易くなり、設計上および施工上ともに配筋が困難になる。そのため、設計応力が大きな杭へ従来のＲＣ接合構造をそのまま適用することはできない。ここで、杭頭の埋め込み補強部における応力負担を大きくすることが考えられるが、この場合、杭頭をフーチング内により深く埋め込ませる（杭頭をより深く包み込むようにフーチングを構築する）必要があるため、基礎構造体の底位置が低くなる。そのため、掘削土量が増大するとともに、山留めなどの仮設工事が必要となり、施工コストの上昇を招いてしまう。
【０００６】
一方、特許文献１，２の発明では、外鋼管による拡径部によって基礎構造体の底位置を深くすることなく曲げモーメントに対する反力を大きくすることができるが、鉄骨使用量が増えるため、コストの上昇は避けられない。
【０００７】
本発明は、このような背景に鑑みなされたもので、コストの上昇を招くことなく基礎構造体の底位置を高くし、且つ杭の側面で負担する応力を大きくすることのできる杭と基礎構造体との接合構造を提供することを目的とする。
【課題を解決するための手段】
【０００８】
上記課題を解決するために、本発明は、杭（１）と基礎構造体（２）との接合構造であって、基礎構造体（２）は、少なくとも１本の杭周補強筋（１１）を有する鉄筋コンクリートからなるとともに、杭頭面（１ｓ）よりも上方に構築される本体部（５）と、杭頭部（１ａ）を包み込むように杭頭面よりも下方に本体部と一体に構築される杭周補強部（６）とを有し、杭周補強筋は、平面視で杭の一方側に配置され、杭周補強部の下部において略水平に延在する水平筋（１１ａ）と、水平筋と協働して平面視で杭をコ字状に取り囲むように水平筋の両端部から杭の他方側へ向けて斜め上向きに延出する一対の斜め筋（１１ｂ）と、一対の斜め筋の上側端部から上方へ向けてそれぞれ延出する一対の鉛直筋（１１ｃ）を有するように構成する。
【０００９】
従来のフーチング内に杭頭部を埋め込ませた接合構造では、フーチングの一側面に圧縮応力を発生させるような力（せん断または曲げ）が加わった場合、この力を、圧縮応力が発生した部位から水平に配置されたフーチングの下端筋を介して圧縮方向と反対方向へ水平に伝達させ、さらに、鉛直に配置されたフーチングの補強筋を介して剛性の高い上側部位に鉛直に伝達させる。そのため、力の伝達経路が長く、杭周補強部の変形量が大きくなるため、圧縮応力が発生した部位、特に、モーメントが作用した際にモーメント作用方向側の下端部が破壊し易い。
【００１０】
これに対し、この発明では、杭周補強部における水平筋が設けられた部位に圧縮応力を発生させるような力が加わると、この力は斜め筋を介して、水平筋よりも高い位置に設けられた鉛直筋、すなわち杭周補強部下部に比較して剛性の高い部位に設けられた鉛直筋の周辺部位へ直接的に伝達される。そのため、力の伝達経路が短くなり、杭周補強部の変形量が小さくなることで、水平筋が設けられた部位の水平力に対する剛性を増大して破壊を起こし難くすることができる。これにより、杭頭部に接合する補強筋の必要本数を削減し、基礎構造体の底位置を浅くすることが可能となる。
【００１１】
また、本発明の一側面によれば、杭周補強筋は、斜め筋と鉛直筋との接続部が杭頭面と略同じ高さに位置するように配置された構成とすることができる。水平筋が設けられた部位に水平方向の圧縮応力を発生させるような力に対しては、平面視で杭に対して力の作用方向と反対側すなわち鉛直筋が設けられた側であって杭頭面よりも高い位置にあるマスコンクリートの部分に力を伝達させることで、基礎構造体の杭側面に接する部分の剛性を効果的に高めることができる。この構成によれば、水平筋が設けられた部位に加わった力を、剛性向上にとって最適な部位へ最端距離で伝達させることができるため、水平筋が設けられた部位の剛性を効果的に高めることができる。
【００１２】
また、本発明の一側面によれば、基礎構造体は、杭の外周面に接合され、杭頭面よりも上方へ延出して本体部の内部に延在する杭上部補強筋（１６）をさらに有する構成とすることができる。この構成によれば、基礎構造体を、杭周補強部による許容応力の増大に加えて、杭頭面によってもせん断力および曲げモーメントに対して効果的に対抗できるようにすることができ、基礎構造体全体としての許容応力を更に高めることができる。
【００１３】
また、本発明の一側面によれば、基礎構造体は、杭周補強筋を複数本有し、複数の杭周補強筋が、その水平筋が平面視で杭の一方側に配置された第１の杭周補強筋（１１）と、その水平筋が平面視で杭の他方側に配置された第２の杭周補強筋（１２）を含む構成とすることができる。この構成によれば、一方向のせん断応力または曲げ応力だけでなく、これと反対方向のせん断応力または曲げ応力に対しても杭周補強部の許容応力を効果的に高めることができる。
【００１４】
また、本発明の一側面によれば、基礎構造体は、杭周補強筋を複数本有し、複数の杭周補強筋が、その水平筋が平面視で杭の一方側に配置された第１の杭周補強筋（１１）と、その水平筋が平面視で第１の杭周補強筋の水平筋と直交する方向に延在する第３の杭周補強筋（１３）を含む構成とすることができる。この構成によれば、一方向のせん断応力または曲げ応力だけでなく、これと直交する方向のせん断応力または曲げ応力に対しても杭周補強部の許容応力を効果的に高めることができる。
【発明の効果】
【００１５】
このように本発明によれば、コストの上昇を招くことなく基礎構造体の底位置を浅くし、且つ杭頭側面が負担する曲げモーメントを大きくすることのできる杭と基礎構造体との接合構造を提供することができる。
【図面の簡単な説明】
【００１６】
【図１】本発明に係る杭と基礎構造体との接合部の平面図である。
【図２】図１中のII−II線に沿う断面図である。
【図３】図１に示す杭と基礎構造体との接合部の主要鉄筋を示す平面図である。
【図４】図３中のIV−IV線に沿う断面図である。
【図５】図３に示す鉄筋を矢印Ｖの方向から見た斜視図である。
【図６】図３に示す鉄筋を有する基礎構造体モデルの概略断面図である。
【図７】図６に示す基礎構造体モデルの作用を説明するための透視側面図である。
【図８】図６に示す基礎構造体モデルの作用を説明するための透視平面図である。
【図９】図６に示す基礎構造体モデルの作用を説明するための模式的断面図である。
【発明を実施するための形態】
【００１７】
以下、図面を参照しながら本発明に係る杭１と基礎構造体２との接合構造の実施形態について説明する。なお、方向を示す場合には図中に示した東西南北および上下の方向を基準とする。
【００１８】
図１および図２に示すように、本発明に係る接合構造は、地盤Ｇ中に構築（埋設）された杭１に対し、図示しない建物などの上部構造体を支持するための基礎構造体２を接合したものである。ここでは杭１として、円形断面の鋼管の中空部に高強度コンクリートを遠心締め固めによって筒状に形成したＳＣ杭を用いている。基礎構造体２は、略直方体形状を呈し、上部構造体の下端部をなす柱８を支持するフーチング３と、フーチング３よりも小さな断面に形成され、東西方向および南北方向に直交配置されて隣接配置されたフーチング３同士を連結する基礎梁４とから構成される。
【００１９】
杭１は、その頭部（以下、杭頭部１ａと称する。）が地面Ｓ（ここでは、基礎梁４の上部に連結する最下階スラブ９の下面を地面Ｓと称するものとする。）よりも下方に位置するように地盤Ｇ中に鉛直に構築される。
【００２０】
フーチング３は、鉄筋コンクリートからなり、杭１の上端面（以下、杭頭面１ｓと称する。）よりも上方に構築される本体部５と、杭頭部１ａを包み込むように杭頭面１ｓよりも下方に本体部５と一体に構築される杭周補強部６とを有している。なお、フーチング３は、地盤Ｇを二点鎖線で示すように掘削した後に打設した捨てコンクリート７上において、基礎梁４と併せて鉄筋および型枠を組み立て、コンクリートを打設することによって構築される。
【００２１】
図３〜図５に示すように、フーチング３内に配置される鉄筋は、平面視で杭１の周囲に配置された第１〜第４杭周補強筋１１〜１４と、平面視でフーチング３の隅部および隅部間に略等間隔に配置された複数（ここでは隅部に４本、その中間部に各１本の合計８本）の杭周鉛直補強筋１５と、杭１の外周面に沿って配置された複数（ここでは８本）の杭上部補強筋１６とを含んでいる。なお、図５においては煩雑にならぬよう杭上部補強筋１６の図示を省略している。
【００２２】
第１杭周補強筋１１は、杭１の東側に配置されて杭周補強部６の下部において略水平に南北方向に延在する水平筋１１ａと、水平筋１１ａと協働して平面視で杭１をコ字状に取り囲むように水平筋１１ａの両端部から西側へ向けて斜め上向きに延出する一対の斜め筋１１ｂと、一対の斜め筋１１ｂの上側端部から上方へ向けてそれぞれ延出する一対の鉛直筋１１ｃを有している。
【００２３】
第２〜第４杭周補強筋１２〜１４は、第１杭周補強筋１１と同様の形状を呈しており、第１杭周補強筋１１に対して平面視で時計回りにそれぞれ１８０度、２７０度および９０度異なる向きに配置されている。つまり、第２杭周補強筋１２は、その水平筋１２ａが杭１の西側に配置されて杭周補強部６の下部において略水平に南北方向に延在するように配置され、第３杭周補強筋１３は、その水平筋１３ａが杭１の北側に配置されて杭周補強部６の下部において略水平に東西方向に延在するように配置され、第４杭周補強筋１４は、その水平筋１４ａが杭１の南側に配置されて杭周補強部６の下部において略水平に東西方向に延在するように配置されている。
【００２４】
なお、ここでは第１〜第４杭周補強筋１１〜１４をそれぞれ１本の鉄筋を曲げ加工して形成するが、それぞれ複数本の鉄筋をラップ接続などさせて上記構成を有するように形成してもよい。
【００２５】
これら第１〜第４杭周補強筋１１〜１４は、それぞれ斜め筋１１ｂ、１２ｂ、１３ｂ、１４ｂと鉛直筋１１ｃ、１２ｃ、１３ｃ、１４ｃとの接続部が杭頭面１ｓと略同じ高さ、すなわち本体部５と杭周補強部６との接続部近傍に配置されている。
【００２６】
杭周鉛直補強筋１５は、下端にフックを形成するように側面視でＪ形に曲げ加工され、ここでは、隅部のものはそれぞれ第１〜第４杭周補強筋１１〜１４の斜め筋１１ｂ、１２ｂ、１３ｂ、１４ｂの交差部の内側において、中間部のものはそれぞれ第１〜第４杭周補強筋１１〜１４の斜め筋１１ｂ、１２ｂ、１３ｂ、１４ｂの交差部の内側または外側において、フックを下にして鉛直に延在するように配置されている。
【００２７】
杭上部補強筋１６は、ここでは杭１の外周面に等間隔（４５°ピッチ）に配置され、下側が杭１の外周面に溶接されるとともに、上側が杭頭面１ｓよりも上方へ延出して本体部５の内部で鉛直に延在している。
【００２８】
次に、このように構成された杭１と基礎構造体２との接合構造による作用を、図６〜図９に示したモデルを参照して説明する。なお、図６の上側に矢印で示すように、上部構造体の柱８（図２参照）から鉛直荷重Ｎ、水平荷重（せん断力Ｑ）或いはモーメントＭがフーチング３に加わると、フーチング３と杭１との関係では、図中下側に示した矢印のような方向の鉛直荷重Ｎ、せん断力Ｑ或いはモーメントＭが杭１に加わったときと同じ状態になる。そこで以下では、フーチング３側からではなく、固定されたフーチング３に対して杭１側から力が作用した状況を基にその作用効果を説明する。
【００２９】
ここでは、杭上部補強筋１６の本数を減らした際にせん断に比べて許容応力を超え易い傾向にあるモーメントＭが、図７の矢印で示すように杭１に加わったときの作用を説明する。ここで、杭１に対するモーメントＭの水平面における作用方向を前方とし、図７、図８に示すように、モーメントＭが杭１に加わった際に、杭周補強部６のうち杭１よりも前方に位置する部位を杭周補強前面部２１と称し、杭周補強部６のうち杭周補強前面部２１から後方に向かって延びる部位を杭周補強側面部２２と称し、杭周補強部６の前方側（杭周補強前面部２１）において杭１が直接力を作用させる部位を前側杭支圧伝達部２３と称し、杭周補強部６の後方側において杭１が直接力を作用させる部位を後側杭支圧伝達部２４と称し、本体部５のうち杭上部補強筋１６に沿って杭１の直上に位置する仮想の円柱形状部位を仮想ＲＣ円柱２５と称して説明する。
【００３０】
杭１に矢印で示すような力が加わると、杭１との接触面をなす前側杭支圧伝達部２３、後側杭支圧伝達部２４、および仮想ＲＣ円柱２５の下面前部に支圧力が作用する。
【００３１】
仮想ＲＣ円柱２５の下面前部に作用した支圧力は、本体部５が直接的に応力負担することになる。仮想ＲＣ円柱２５の下面前部に鉛直荷重Ｎを超える支圧力が作用した場合には、後方側（図の右側）に配置された杭上部補強筋１６を介して仮想ＲＣ円柱２５に伝達した引っ張り荷重と支圧力とが打ち消し合うことで、モーメントＭの一部が本体部５に伝達される。
【００３２】
一方、前側杭支圧伝達部２３に作用した支圧力の多くは、第１杭周補強筋１１の水平筋１１ａによって補強された杭周補強前面部２１に対する曲げ荷重となって杭周補強前面部２１の両端側に伝達される。杭周補強前面部２１の両端側に伝達された曲げ荷重は、次に、第１杭周補強筋１１の斜め筋１１ｂによって補強された杭周補強側面部２２に対する引っ張り荷重となって杭周補強側面部２２の後端側且つ上側へ伝達され、杭１に対して後方側にあり且つマスコンクリート部である本体部５に圧縮荷重となって伝達される。
【００３３】
後側杭支圧伝達部２４には、前側杭支圧伝達部２３に作用する支圧力と反対向きの支圧力が作用しており、この支圧力は、直上の本体部５に直接的に伝達される。このようにして、杭周補強部６を介してモーメントＭの一部ｍが本体部５に伝達される。
【００３４】
そして、杭周補強部６を介して本体部５に伝達され得るモーメントＭの一部ｍと、仮想ＲＣ円柱２５を介して本体部５に伝達され得るモーメントＭの一部との合計により、基礎構造体２のモーメントに対する許容応力が定まる。
【００３５】
なお、杭上部補強筋１６は、杭周鉛直補強筋１５とともに、杭１に生じているせん断力Ｑをフーチング３に伝える機能も果たす。そして、杭１に生じているせん断力Ｑは、その一部が杭上部補強筋１６および杭周鉛直補強筋１５によってフーチング３に伝達され、その残りが第１および第２杭周補強筋１１，１２の斜め筋１１ｂ，１２ｂによってフーチング３に伝達される。また、フーチング３の隅部に配置された４本の杭周鉛直補強筋１５は、第１〜第４杭周補強筋１１〜１４の水平筋１１ａ〜１４ａと斜め筋１１ｂ〜１４ｂとの接続部を拘束することで、斜め筋１１ｂ〜１４ｂによる引っ張り荷重伝達効果が低下することを防止している。
【００３６】
このような荷重伝達が行われる本発明の効果を、従来例と比較して示す図９の模式図を参照して説明する。図９の（Ａ）は本発明に係る接合構造を示しており、（Ｂ）は従来の接合構造を示している。図９（Ａ）に示すように、本発明に係る接合構造では、杭周補強部６のうち杭周補強側面部２２を伝達する引っ張り荷重は、斜めに直接的に本体部５へ至る。したがって、荷重伝達経路が最端距離となっており、しかも支圧力が作用する前側杭支圧伝達部２３と後側杭支圧伝達部２４とに対応する部位を直線状に結んで拘束するかたちとなるため、前側杭支圧伝達部２３と後側杭支圧伝達部２４との相対変位量が最小になる。
【００３７】
一方、杭周補強部５６に水平および鉛直に鉄筋（図示省略）が配置されている従来の接合構造では、図９（Ｂ）に示すように、杭周補強側面部２２を伝達する引っ張り荷重は、水平鉄筋に沿ってまず水平に後端側へ伝達した後に鉛直鉄筋に沿って鉛直に伝達して本体部５に至る。したがって、本発明に比べて荷重伝達経路が長く、しかも伝達経路が直角に屈折することによって杭周補強部５６後部が断面変形を生じ得ることから、支圧力が作用する前側杭支圧伝達部２３と後側杭支圧伝達部２４との相対変位量が大きくなる。つまり、杭周補強部５６が負担し得るモーメントＭの一部ｍ’が本発明の杭周補強部６が負担し得るモーメントＭの一部ｍよりも小さくなる。
【００３８】
このように、本発明に係る杭１と基礎構造体２との接合構造は、杭周補強部６の寸法が同じであれば、第１杭周補強筋１１の水平筋１１ａが設けられた部位の水平力に対する剛性を増大して破壊を起こし難くすることができる。言い換えれば、杭頭部１ａに接合する杭上部補強筋１６の必要本数を削減することや、基礎構造体２の底位置を浅くすることが可能である。これにより、基礎梁４の主筋の配筋設計および施工を容易にし、コンクリートおよび鉄鋼材料の使用量並びに掘削量を削減してコスト低下を図ることができる。また、杭周補強部５６の変形を小さくできるため、杭１の頭部固定度を大きくすることができる。
【００３９】
また、斜め筋１１ｂと鉛直筋１１ｃとの接続部が杭頭面１ｓと略同じ高さに位置するように第１杭周補強筋１１が配筋されているため、平面視で杭１に対して力の作用方向と反対側すなわち鉛直筋１１ｃが設けられた側であって杭頭面１ｓよりも高い位置にあるマスコンクリートの部分（本体部５）へ、最端距離で伝達させることができるため、水平筋１１ａが設けられた部位（前側杭支圧伝達部２３）の剛性が効果的に高められている。
【００４０】
そして、図３〜図５に示したように、第１〜第４杭周補強筋１１〜１４を平面視で９０度ずつ異ならせて４方向に配置したことにより、一方向のせん断応力または曲げ応力だけでなく、これと反対方向および直角方向のせん断応力または曲げ応力に対しても杭周補強部６の許容応力を効果的に高めることが可能になる。
【００４１】
また、基礎梁４の主筋の配筋に支障を来さない範囲において杭上部補強筋１６を併せて用いることにより、杭周補強部６による許容応力の増大に加えて、仮想ＲＣ円柱２５によるモーメント負担および杭頭面１ｓにおけるせん断力負担をより大きくし、基礎構造体２全体としての許容応力を更に高めることができる。
【００４２】
以上で具体的実施形態についての説明を終えるが、本発明は上記実施形態に限定されるものではなく、各部材の具体的形状や配置などは、本発明の趣旨を逸脱しない範囲で適宜変更可能である。例えば、上記実施形態では、基礎構造体２がフーチング３と基礎梁４とを有するように構成しているが、基礎構造体２が基礎梁４を有さない形態としてもよい。このような形態であっても、フーチング３の杭周補強部６の高さ寸法を小さくすることは可能である。また、上記実施形態では、杭周補強筋の水平筋、傾斜筋および鉛直筋をそれぞれ直状として曲げ加工部で接続させているが、水平筋の全体や傾斜筋の一部などを湾曲させたり、水平筋の端部側を傾斜させて滑らかに傾斜筋に接続させたりしてもよい。
【００４３】
また、上記実施形態では、例えば杭１の東側で水平筋１１ａが南北方向に延在する第１杭周補強筋１１を１本だけ配置しているが、第１杭周補強筋１１を複数本配置したり、斜め筋１１ｂのみを複数本配置したりしてもよい。このようにして斜め筋１１ｂの配筋量を変化させることにより、本体部５の杭頭面１ｓとの接合面で応力負担するモーメントと杭周補強部６で応力負担するモーメントとの分担割合を調整することができる。さらに、斜め筋として、通常の鉄筋ではなくＰＣより線や鉄骨、鉄板等を用いることも可能である。
【００４４】
一方、上記実施形態に示した本発明に係る杭１と基礎構造体２との接合構造は、必ずしも全ての要素を必須とするものではなく、本発明の趣旨を逸脱しない限りにおいて適宜取捨選択することが可能である。例えば、上記実施形態では、フーチング３が第１〜第４杭周補強筋１１〜１４の他に杭周鉛直補強筋１５や杭上部補強筋１６を含んでいるが、これらのうち一方または両方を含まない形態とすることも可能である。さらに、フーチング３が第１〜第４杭周補強筋１１〜１４のうち少なくとも１本を含んでいれば、杭１と基礎構造体２との接合構造は少なくとも一方向の荷重に対して上記効果を奏することができる。
【符号の説明】
【００４５】
１    杭１、１ａ  杭頭部、１ｓ  杭頭面
２    基礎構造体
３    フーチング、５  本体部、６  杭周補強部
４    基礎梁
１１  第１杭周補強筋、１１ａ  水平筋、１１ｂ  斜め筋、１１ｃ  鉛直筋
１２  第２杭周補強筋、１２ａ  水平筋、１２ｂ  斜め筋、１２ｃ  鉛直筋
１３  第３杭周補強筋、１３ａ  水平筋、１３ｂ  斜め筋、１３ｃ  鉛直筋
１４  第４杭周補強筋、１４ａ  水平筋、１４ｂ  斜め筋、１４ｃ  鉛直筋
１６  杭上部補強筋
Ｇ    地盤
Ｓ    地面
【図１】
0005503569.tif 000002
【図２】
0005503569.tif 000003
【図３】
0005503569.tif 000004
【図４】
0005503569.tif 000005
【図５】
0005503569.tif 000006
【図６】
0005503569.tif 000007
【図７】
0005503569.tif 000008
【図８】
0005503569.tif 000009
【図９】
0005503569.tif 000010